(57)【要約】【課題】  荷造り紐用収納ケースにおいて、引き出した紐の端部が再び内部に戻ってしまうことを防ぐ。【解決手段】  ロール巻き状態の荷造り紐１を収納可能な容器本体２を備えた荷造り紐用収納ケースであって、容器本体２が、開口時に荷造り紐１を出し入れ可能な開口部を形成する開閉蓋部５と、荷造り紐１が内部から外部に挿通可能な取り出し孔部６とを有し、取り出し孔部６が、ゴム材に切り込み６ａを入れて形成されている。これにより、荷造り紐１がゴム材の弾力によって切り込み６ａに挟まれた状態となり、容器本体２内の荷造り紐１の束に引っ張られても引き込まれない充分な抵抗を得ることができる。【選択図】      図１
0003125305.tif 000002
【実用新案登録請求の範囲】
【請求項１】
ロール巻き状態の荷造り紐を収納可能な容器本体を備えた荷造り紐用収納ケースであって、
前記容器本体が、開口時に前記荷造り紐を出し入れ可能な開口部を形成する開閉蓋部と、前記荷造り紐の端部が内部から外部に挿通可能な取り出し孔部とを有し、
前記取り出し孔部が、弾性材料に切り込みを入れて形成されていることを特徴とする荷造り紐用収納ケース。
【請求項２】
請求項１に記載の荷造り紐用収納ケースにおいて、
前記弾性材料が、ゴム材であることを特徴とする荷造り紐用収納ケース。
【請求項３】
請求項１又は２に記載の荷造り紐用収納ケースにおいて、
前記容器本体の内面であって収納される前記荷造り紐の中央孔に近接した部分に、前記荷造り紐の端部を挿通可能な環状ガイド部が設けられていることを特徴とする荷造り紐用収納ケース。
【請求項４】
請求項１から３のいずれか一項に記載の荷造り紐用収納ケースにおいて、
前記容器本体が、両端部が閉じられた筒形状とされ、
複数の前記容器本体が同一中心軸上に隣接して並べられていることを特徴とする荷造り紐用収納ケース。
【請求項５】
請求項４に記載の荷造り紐用収納ケースにおいて、
複数の前記容器本体が、それぞれ着脱自在に設けられていることを特徴とする荷造り紐用収納ケース。
【請求項６】
請求項１から５のいずれか一項に記載の荷造り紐用収納ケースにおいて、
前記取り出し孔部の近傍に前記荷造り紐を切断可能な刃部を有するカッター部が取り付けられていることを特徴とする荷造り紐用収納ケース。
【請求項７】
請求項６に記載の荷造り紐用収納ケースにおいて、
前記カッター部が、前記刃部を出し入れ可能とされていることを特徴とする荷造り紐用収納ケース。
【請求項８】
請求項１から７のいずれか一項に記載の荷造り紐用収納ケースにおいて、
前記容器本体を支持する土台部を有し、
前記土台部が、小物入れ部を有していることを特徴とする荷造り紐用収納ケース。
【請求項９】
請求項１から８のいずれか一項に記載の荷造り紐用収納ケースにおいて、
前記容器本体の外周面に目盛りが表示されていることを特徴とする荷造り紐用収納ケース。
【請求項１０】
請求項１から９のいずれか一項に記載の荷造り紐用収納ケースにおいて、
前記容器本体が、透明又は半透明な材料で形成されているを特徴とする荷造り紐用収納ケース。
【考案の詳細な説明】
【技術分野】
【０００１】
本考案は、ロール巻き状態とされた荷造り紐を収納する荷造り紐用収納ケースに関する。
【背景技術】
【０００２】
一般に、紙紐やビニール紐等の荷造り紐はロール巻き状態とされて販売されている。この荷造り紐から紐を引き出して梱包や品物等の結束を行うが、紐を引き出していくうちにロール巻き状態だったものが解けて形態が崩れ、絡まりやすくなると共に、持ち運びがし難くなる不都合があった。また、ロール巻きの形態が崩れると、紐の端部が見つけ難くなり、取り扱いが面倒になる。
【０００３】
このため、従来、例えば特許文献１には、荷造り紐を収納する収納容器本体と、この収納容器本体に着脱可能に取り付けられ取っ手が付いていると共に荷造り紐を取り出す取り出し孔が設けられた開閉蓋とを有している荷造り用ひも収納容器が提案されている。この荷造り用ひも収納容器では、ロール巻きされた荷造り紐を気軽に使用場所に移動させて使用することができるようになっている。
【０００４】
【特許文献１】特開２００４−９０９４４号公報
【考案の開示】
【考案が解決しようとする課題】
【０００５】
上記従来の技術には、以下の課題が残されている。
すなわち、特許文献１に記載の技術では、単に開口された取り出し孔から荷造り紐を取り出すようになっているが、作業している最中に取り出した荷造り紐が再び収納容器内に戻ってしまい、取り出し孔から取り出せなくなる場合があった。この場合、再度、開閉蓋を開けて荷造り紐の端部を取り出し、取り出し孔を挿通させて外部に長めに引き出した状態で開閉蓋を閉める必要があった。上記従来の技術では、紐が収納容器本体内に容易に戻らないような抵抗を付与することができる大きさの取り出し孔としているが、単に開口した取り出し孔では、移動時や作業時に引き出した紐が内部のロール巻き状の荷造り紐に引っ張られて戻ってしまう問題があった。したがって、やはり常に長めに荷造り紐を取り出し孔から引き出しておく必要があり、長く引き出した紐が外観上好ましくないと共に、紐の切断後にいちいち紐を長めに引き出す作業が必要になり、手間がかかる不都合があった。
【０００６】
本考案は、前述の課題に鑑みてなされたもので、引き出した紐の端部が再び内部に戻ってしまうことを防止できる荷造り紐用収納ケースを提供することを目的とする。
【課題を解決するための手段】
【０００７】
本考案は、前記課題を解決するために以下の構成を採用した。すなわち、本考案の荷造り紐用収納ケースは、ロール巻き状態の荷造り紐を収納可能な容器本体を備えた荷造り紐用収納ケースであって、前記容器本体が、開口時に前記荷造り紐を出し入れ可能な開口部を形成する開閉蓋部と、前記荷造り紐の端部が内部から外部に挿通可能な取り出し孔部とを有し、前記取り出し孔部が、弾性材料に切り込みを入れて形成されていることを特徴とする。
【０００８】
この荷造り紐用収納ケースでは、荷造り紐を取り出す取り出し孔部が弾性材料に切り込みを入れて形成されているので、荷造り紐が弾性材料の弾力によって切り込みに挟まれた状態となり、容器本体内の荷造り紐の束に引っ張られても引き込まれない充分な抵抗を得ることができる。また、荷造り紐の端部が弾性のある切り込みに挟まれているので、端部を引っ張れば容易に容器本体から引き出すこともできる。したがって、一旦引き出した荷造り紐の端部が容器本体内に引き込まれることを防ぐと共に、引き出し可能な状態で荷造り紐の端部を取り出し孔部で良好に保持することができる。
【０００９】
また、本考案の荷造り紐用収納ケースは、前記容器本体の内面であって収納される前記荷造り紐の中央孔に近接した部分に、前記荷造り紐の端部を挿通可能な環状ガイド部が設けられていることを特徴とする。すなわち、この荷造り紐用収納ケースでは、荷造り紐の中央孔から引き出された端部が容器本体の内面の環状ガイド部にガイドされているので、他の部分に引っ掛かることを抑制して荷造り紐の端部を取り出し孔部から外部にスムーズに取り出すことができる。
【００１０】
また、本考案の荷造り紐用収納ケースは、前記弾性材料がゴム材であることが好ましい。すなわち、この荷造り紐用収納ケースでは、取り出し孔部を構成する弾性材料がゴム材であるので、低コストで容易に作製可能であり、引き出した荷造り紐を保持する弾性力及び挟持力をゴム材の厚さや硬さ等を選択することで容易に設定可能である。
【００１１】
また、本考案の荷造り紐用収納ケースは、前記容器本体が、両端部が閉じられた筒形状とされ、複数の前記容器本体が同一中心軸上に隣接して並べられていることを特徴とする。すなわち、この荷造り紐用収納ケースでは、筒形状の容器本体が同一中心軸上に隣接して複数並べられているので、それぞれに荷造り紐を省スペースで並べて収納でき、複数又は数種類の荷造り紐の持ち運び及び同時使用が可能になる。
【００１２】
さらに、本考案の荷造り紐用収納ケースは、複数の前記容器本体が、それぞれ着脱自在に設けられていることを特徴とする。すなわち、この荷造り紐用収納ケースでは、各容器本体が着脱自在で独立して使用可能とされているので、個別に取り外して持ち運ぶこともでき、多様な使用形態に対応することができる。
【００１３】
また、本考案の荷造り紐用収納ケースは、前記取り出し孔部の近傍に前記荷造り紐を切断可能な刃部を有するカッター部が取り付けられていることを特徴とする。すなわち、この荷造り紐用収納ケースでは、取り出し孔部の近傍に刃部を有するカッター部が取り付けられているので、引き出した荷造り紐をカッター部の刃部を用いて容易に切断できると共に、取り出し孔部の近傍に配されたカッター部で切断することで、切断して残った荷造り紐の端部が必要以上に長く取り出し孔部から垂れ下がることを防ぐことができる。
【００１４】
さらに、本考案の荷造り紐用収納ケースは、前記カッター部が、前記刃部を出し入れ可能とされていることが好ましい。すなわち、この荷造り紐用収納ケースでは、刃部が出し入れ可能とされているので、不使用時には刃部をカッター部内に入れて刃部を隠して安全性を高めることができる。
【００１５】
また、本考案の荷造り紐用収納ケースは、前記容器本体を支持する土台部を有し、前記土台部が、小物入れ部を有していることを特徴とする。すなわち、この荷造り紐用収納ケースでは、土台部が小物入れ部を有しているので、ハサミ、カッター、巻き尺及びペン等の小道具類を小物入れ部に収納でき、荷造り紐と共に持ち運ぶことが可能になり、作業性を向上させることができる。
【００１６】
また、本考案の荷造り紐用収納ケースは、前記容器本体の外周面に目盛りが表示されていることを特徴とする。すなわち、この荷造り紐用収納ケースでは、容器本体の外周面に目盛りが表示されているので、引き出した荷造り紐を所定の長さで切断したい場合に、メジャー等を用意する必要が無く、容器本体に表示されている目盛りに荷造り紐を沿わせて長さを測ることができる。
【００１７】
また、本考案の荷造り紐用収納ケースは、前記容器本体が、透明又は半透明な材料で形成されていることが好ましい。すなわち、この荷造り紐用収納ケースでは、透明又は半透明な容器本体とされているので、内部に収納されている荷造り紐の種類や残り状態等を外部から容易に確認することができる。
【考案の効果】
【００１８】
本考案によれば、以下の効果を奏する。
すなわち、本考案に係る荷造り紐用収納ケースによれば、荷造り紐を取り出す取り出し孔部が弾性材料に切り込みを入れて形成されているので、弾性材料の弾力によって一旦引き出した荷造り紐の端部が容器本内に引き込まれることを防ぐと共に、引き出し可能な状態で荷造り紐の端部を取り出し孔部で良好に保持することができる。したがって、荷造り紐を最後までスムーズに引き出せると共に、荷造り紐の持ち運び、引き出し、切断等の取り扱い性が向上して、高い作業効率を得ることができる。
【考案を実施するための最良の形態】
【００１９】
以下、本考案に係る荷造り紐用収納ケースの第１実施形態を、図１及び図２を参照しながら説明する。
【００２０】
本実施形態の荷造り紐用収納ケースは、ロール巻き状態の荷造り紐１を収納可能な一対の容器本体２と、これら容器本体２を支持する土台部３と、土台部３上に立設され両側面に一対の容器本体２が固定された中央支持板４とを備えている。
一対の上記容器本体２は、両端部が閉じられた円筒形状（円柱状体）とされ、互いに同一中心軸上に中央支持板４を介して隣接して並べられている。
【００２１】
また、上記容器本体２は、開口時に荷造り紐１を出し入れ可能な開口部を形成する開閉蓋部５と、荷造り紐１の端部が内部から外部に挿通可能な取り出し孔部６とを有している。
上記開閉蓋部５は、容器本体２の直径よりも若干大きな直径の円形板７と、該円形板７の外縁部に容器本体２の外周面に嵌め込み可能な帯状円環部８とからなり、容器本体２の開口部に嵌め込んで開口部を閉塞可能になっている。また、開閉蓋部５は、円形板７の中央に外方に突出した摘み部９が固定されている。
さらに、開閉蓋部５の帯状円環部８における外周面には、周方向にスケール（目盛り）１０が表示されている。
【００２２】
上記取り出し孔部６は、容器本体２の外周面に矩形状に開けられた開口孔にゴム材（弾性材料）を固定し、該ゴム材に切り込み６ａを入れて形成されている。すなわち、容器本体２内部に収納した荷造り紐１の端部を、上記切り込み６ａから外部に取り出して使用する。なお、引き出した荷造り紐１を保持する弾性力及び挟持力は、ゴム材の厚さ、硬さ及び切り込み幅等を適宜選択することで容易に設定可能である。
上記土台部３は、両端面が閉塞された半円筒形状とされ、内部に小物入れ部１１が設けられている。この小物入れ部１１は、箱状の引き出しとなっており、土台部３からスライド式に出し入れ可能に土台部３に収納されている。
【００２３】
上記中央支持板４には、取り出し孔部６の近傍に荷造り紐１を切断可能な刃部１２を有するカッター部１３が着脱可能に取り付けられている。このカッター部１３は、刃部１２を本体内に出し入れ可能とされている。例えば、ＯＬＦＡ（登録商標）製のタッチナイフベンリー等のコンパクトカッターを、中央支持板４に形成した取付孔１４に着脱可能に嵌め込んで取り付けている。このカッター部１３では、刃部１２が出し入れ可能とされているので、不使用時には刃部１２をカッター部１３内に収めて刃部１２を隠して安全性を高めている。
また、中央支持板４の上部には、取っ手部１５が設けられている。なお、取っ手部１５の代わりに紐や縄の両端を中央支持板４又は容器本体２につなげて取っ手としても構わない。
【００２４】
また、容器本体２の内面であって開閉蓋部５と反対面の中央には、収納される荷造り紐１の中央孔に近接した部分に荷造り紐１の端部を挿通可能な環状ガイド部Ｇが設けられている。すなわち、通常、荷造り紐１は端部が中央孔側から引き出されるようになっており、この荷造り紐用収納ケースでは、荷造り紐１の端部が、中央孔から引き出されて環状ガイド部Ｇに挿通された後に取り出し孔部６から取り出されるようになっている。
容器本体２、土台部３及び中央支持板４は、いずれもアクリル板等の透明又は半透明な材料で形成されている。なお、パンチングメタル等の内部が確認可能なステンレス板等で作製しても構わない。
【００２５】
次に、本実施形態の荷造り紐用収納ケースによる荷造り紐の収納及び取り扱い方法について、説明する。
【００２６】
まず、開閉蓋部５を取り外して容器本体２の開口部からロール巻き状態の荷造り紐１を入れる。このとき、荷造り紐１の端部を取り出して、環状ガイド部Ｇに挿通させた後に容器本体２の内部から取り出し孔部６の切り込み６ａを通して外部に引き出しておく。次に、開閉蓋部５で容器本体２の開口部を閉塞する。この状態では、取り出し孔部６から出ている荷造り紐１の端部は、取り出し孔部６の切り込み６ａに挟まれて保持された状態となっている。
【００２７】
次に、荷造り紐１を梱包作業等に用いる際には、取っ手部１５を持って荷造り紐用収納ケースを作業場に運び、荷造り紐１を必要な長さだけ取り出し孔部６から引き出す。この際、スケール１０に荷造り紐１を沿わせることで、荷造り紐１の長さを容易に測定することができる。この後、カッター部１３の刃部１２を露出させ、引き出した荷造り紐１を刃部１２に当てて切断する。切断後、再び刃部１２をカッター部１３内に収納しておく。
【００２８】
このように本実施形態の荷造り紐用収納ケースでは、荷造り紐１を取り出す取り出し孔部６がゴム材に切り込み６ａを入れて形成されているので、荷造り紐１がゴム材の弾力によって切り込み６ａに挟まれた状態となり、容器本体２内の荷造り紐１の束に引っ張られても引き込まれない充分な抵抗を得ることができる。また、荷造り紐１の端部が弾性のある切り込み６ａに挟まれているので、端部を引っ張れば容易に容器本体２から引き出すこともできる。
【００２９】
また、円筒形状の容器本体２が同一中心軸上に隣接して一対並べられているので、それぞれに荷造り紐１を省スペースで並べて収納でき、２つ又は２種類の荷造り紐１の持ち運び及び同時使用が可能になる。
さらに、取り出し孔部６の近傍に刃部１２を有するカッター部１３が取り付けられているので、引き出した荷造り紐１をカッター部１３の刃部１２を用いて容易に切断できると共に、取り出し孔部６の近傍に配されたカッター部１３で切断することで、切断して残った荷造り紐１の端部が必要以上に長く取り出し孔部６から垂れ下がることを防ぐことができる。
【００３０】
また、土台部３が小物入れ部１１を有しているので、ハサミ、カッター、巻き尺及びペン等の小道具類を小物入れ部１１に収納でき、荷造り紐１と共に持ち運ぶことが可能になり、作業性を向上させることができる。
また、容器本体２の外周面にスケール１０が表示されているので、引き出した荷造り紐１を所定の長さで切断したい場合に、メジャー等を用意する必要が無く、容器本体２に表示されているスケール１０に荷造り紐１を沿わせて長さを測ることができる。
さらに、荷造り紐１の中央孔から引き出された端部が、容器本体２の内面の環状ガイド部Ｇにガイドされているので、他の部分に引っ掛かることを抑制して荷造り紐１の端部を取り出し孔部６から外部にスムーズに取り出すことができる。
また、透明又は半透明な容器本体２とされているので、内部に収納されている荷造り紐１の種類や残り状態等を外部から容易に確認することができる。
【００３１】
以下、本考案に係る荷造り紐用収納ケースの第２実施形態を、図３及び図４を参照しながら説明する。なお、以下の各実施形態の説明において、上記実施形態において説明した同一の構成要素には同一の符号を付し、その説明は省略する。
【００３２】
第２実施形態と第１実施形態との異なる点は、第１実施形態では、容器本体２の端部側を開口させる円板形状の開閉蓋部５を有しているのに対し、第２実施形態の荷造り紐用収納ケースでは、図３及び図４に示すように、容器本体２２の外周面上部に荷造り紐１を出し入れ可能な開口部２２ａを形成する開閉蓋部２５を有している点である。すなわち、第２実施形態では、容器本体２２の外周板２３の一部を構成し、断面円弧状の曲面を有する開閉蓋部２５が開閉可能に設けられている。
【００３３】
上記開閉蓋部２５は、取り出し孔部６よりも上部に設けられ、基端部がヒンジ部材２４で回動可能に容器本体２２に取り付けられ、先端部に摘み部９が固定されている。また、容器本体２２の開口部２２ａには、開閉蓋部２５の先端部が当接して内部に入らないように係止するストッパ２３ａが外周板２３の内周面から突出して設けられている。
この第２実施形態では、開閉蓋部２５が容器本体２２の上部に設けられているので、開閉蓋部２５を開けて形成した開口部２２ａからロール巻き状態の荷造り紐１を容易に入れることができる。なお、第２実施形態では、外周板２３の外周面にスケール１０が表示されている。
【００３４】
次に、本考案に係る荷造り紐用収納ケースの第３実施形態を、図５から図７を参照しながら説明する。
【００３５】
第３実施形態と第１実施形態との異なる点は、第１実施形態の荷造り紐用収納ケースがアクリル板等の硬板材で形成されているのに対し、第３実施形態の荷造り紐用収納ケースでは、図５及び図６に示すように、全体が段ボール等の紙板材で形成されている点である。また、第３実施形態では、容器本体３２が両端部が閉塞された８角筒状体（八角柱状体）とされており、土台部３３上に立設された中央支持板３４の両側に着脱自在に取り付けられている点でも第１実施形態と異なっている。
【００３６】
すなわち、第３実施形態では、容器本体３２の外側面上半部が中央より若干下方の折り目部３２ａを中心に外側に回動して開閉可能な開閉蓋部３５となっている。この開閉蓋部３５の上端部及びこれに対向する容器本体３２の上端部には、一対の面ファスナーＦが互いに対向状態にそれぞれ貼り付けられており、開閉蓋部３５の上端部が容易に着脱できて開閉可能になっている。また、容器本体３２の内側面及びこれに対向する中央支持板３４の両側面には、それぞれ複数の面ファスナーＦが互いに対向状態にそれぞれ貼り付けられており、容器本体３２が容易に着脱できるようになっている。
【００３７】
また、容器本体３２の外側面中央及び外周面の一箇所には、円形状の取り出し孔部３６がそれぞれ設けられ、取り出し孔部３６を塞ぐように貼り付けたシリコンゴム（ゴム材）に十字状の切り込み３６ａが形成されている。
このように第３実施形態の荷造り紐用収納ケースでは、各容器本体３２が着脱自在で独立して使用可能とされているので、個別に取り外して持ち運ぶこともでき、多様な使用形態に対応することができる。
【００３８】
また、容器本体３２の外側面及び外周面の両方に取り出し孔部３６が設けられているので、使用状態に応じて取り出し孔部３６を任意に選択可能である。例えば、図５及び図６に示すように、容器本体３２を中央支持板３４に取り付けている場合は、外周面の取り出し孔部３６から荷造り紐１の端部を取り出し、図７に示すように、容器本体３２を外して独立的に使用する場合には、外側面を上側にして平置き状態とし、外側面の取り出し孔部３６から荷造り紐１の端部を取り出すようにしても良い。
なお、本実施形態でも、容器本体３２の内面であって開閉蓋部３５とは反対面中央には、図示しない環状ガイド部が設けられており、容器本体３２の外周面の取り出し孔部３６から荷造り紐１の端を取り出し場合、荷造り紐１の端部は一旦環状ガイド部に挿通された後に外周面の取り出し孔部３６から取り出される。
【００３９】
さらに、第３実施形態では、全体が段ボール等の紙板材で構成されているので、低コストであると共に各部材を簡易的に組立可能なキットで構成することが可能である。なお、段ボール等の紙板材を用いる場合は、外周構造が円筒形状（全体が円柱状体）よりも高い強度が得られる多角筒形状（全体が多角柱状体）の容器本体とすることが好ましい。また、取っ手部１５は、段ボール等の紙板材で形成しても良いが、より引っ張り強度の高いビニール紐などで構成しても構わない。
また、容器本体３２に覗き孔を形成して、内部の荷造り紐１の残量を確認可能にしても構わない。
【００４０】
なお、本考案の技術範囲は上記各実施形態に限定されるものではなく、本考案の趣旨を逸脱しない範囲において種々の変更を加えることが可能である。
例えば、上記各実施形態では、１対の容器本体２を備え、２つの荷造り紐１を収納可能としているが、１又は３以上の容器本体２を備え、１又は３以上の荷造り紐１を収納可能としても構わない。
【００４１】
また、矩形状又は円形状の取り出し孔部６、３６に直線状又は十字状の切り込み６ａ、３６ａを入れているが、他の開口孔形状で取り出し孔部を形成し、またゴム材にスポット状、Ｙ字状や曲線状等の切り込みを入れても構わない。
さらに、上記各実施形態では、取り出し孔部６、３６を構成する弾性材料としてゴム材を採用しているが、他の弾性材料を用いても構わない。
また、スケール１０を取り出し孔部６の近傍に表示しても構わない。この場合、取り出し孔部６からの荷造り紐１の引き出し長さ自体を直接的に測ることが可能になる。
【図面の簡単な説明】
【００４２】
【図１】本考案に係る第１実施形態の荷造り紐用収納ケースを示す正面図である。
【図２】第１実施形態の荷造り紐用収納ケースを示す側面図である。
【図３】本考案に係る第２実施形態の荷造り紐用収納ケースを示す要部の上面図である。
【図４】図３のＡ−Ａ線矢視断面図である。
【図５】本考案に係る第３実施形態の荷造り紐用収納ケースを示す側面図である。
【図６】第３実施形態の荷造り紐用収納ケースを示す正面図である。
【図７】第３実施形態の荷造り紐用収納ケースにおいて、容器本体を示す斜視図である。
【符号の説明】
【００４３】
１…荷造り紐、２、２２、３２…容器本体、３…土台部、５、２５、３５…開閉蓋部、６、３６…取り出し孔部、６ａ、３６ａ…切り込み、１０…スケール（目盛り）、１１…小物入れ部、１２…刃部、１３…カッター部、２２ａ…開口部、Ｇ…環状ガイド部
【図１】
0003125305.tif 000003
【図２】
0003125305.tif 000004
【図３】
0003125305.tif 000005
【図４】
0003125305.tif 000006
【図５】
0003125305.tif 000007
【図６】
0003125305.tif 000008
【図７】
0003125305.tif 000009